(57)【要約】【課題】複数の蒸発器に二酸化炭素冷媒を分流する冷凍装置において、各蒸発器への冷媒の分流に偏りが発生することを回避若しくは抑制する。【解決手段】冷凍装置１は、低元圧縮機２１と、低元ガスクーラ２３と、高圧膨張弁３１と、並列接続された複数の低元蒸発器３６と、各蒸発器の冷媒入口側に接続された低圧膨張弁３４から構成された低元側冷媒回路６Ａ、６Ｂを備える。制御装置４８は高圧膨張弁３１と低圧膨張弁３４の間の冷媒の状態を監視し、気液混合状態であると判断した場合、高圧膨張弁と低圧膨張弁の間の冷媒の圧力を上昇させる中圧上昇制御を実行する。【選択図】図１
2020046157.tif 000002
【特許請求の範囲】
【請求項１】
圧縮機と、ガスクーラと、高圧膨張弁と、並列接続された複数の蒸発器と、各蒸発器の冷媒入口側にそれぞれ接続された低圧膨張弁から構成された冷媒回路を備え、二酸化炭素を冷媒として封入し、前記高圧膨張弁を経た冷媒を前記各低圧膨張弁に分流して成る冷凍装置において、
前記冷媒回路の運転を制御する制御装置を備え、
該制御装置は、前記高圧膨張弁と前記低圧膨張弁の間の冷媒の状態を監視し、気液混合状態であると判断した場合、前記高圧膨張弁と前記低圧膨張弁の間の冷媒の圧力を上昇させる中圧上昇制御を実行することを特徴とする冷凍装置。
【請求項２】
高元側冷媒回路と、低元側冷媒回路と、前記高元側冷媒回路の冷媒を蒸発させて前記低元側冷媒回路の高圧側冷媒を冷却するカスケード熱交換器とを備え、少なくとも前記低元側冷媒回路には二酸化炭素を冷媒として封入して成る冷凍装置において、
前記低元側冷媒回路は、圧縮機と、ガスクーラと、高圧膨張弁と、並列接続された複数の蒸発器と、各蒸発器の冷媒入口側にそれぞれ接続された低圧膨張弁を有し、前記高圧膨張弁を経た冷媒を前記各低圧膨張弁に分流すると共に、
前記高元側冷媒回路及び前記低元側冷媒回路の運転を制御する制御装置を備え、
該制御装置は、前記高圧膨張弁と前記低圧膨張弁の間の冷媒の状態を監視し、気液混合状態であると判断した場合、前記高圧膨張弁と前記低圧膨張弁の間の冷媒の圧力を上昇させる中圧上昇制御を実行することを特徴とする冷凍装置。
【請求項３】
前記制御装置は、前記高元側冷媒回路及び前記低元側冷媒回路の双方を運転する二元冷凍運転と、前記低元側冷媒回路のみを運転する単元冷凍運転とを有し、外気温度が所定値より低い場合に前記単元冷凍運転を実行すると共に、
当該単元冷凍運転において前記中圧上昇制御を実行することを特徴とする請求項２に記載の冷凍装置。
【請求項４】
前記高圧膨張弁と前記低圧膨張弁の間の冷媒の圧力及び温度を検出する中圧圧力センサ及び中圧温度センサを備え、
前記制御装置は、前記中圧圧力センサと前記中圧温度センサの出力に基づいて、前記高圧膨張弁と前記低圧膨張弁の間の冷媒の状態を監視することを特徴とする請求項１乃至請求項３のうちの何れかに記載の冷凍装置。
【請求項５】
前記制御装置は、常には前記圧縮機と前記高圧膨張弁の間の高圧側圧力に基づき、最適な当該高圧側圧力を目標値として前記高圧膨張弁を制御し、前記各蒸発器の出口側の冷媒過熱度に基づき、前記各低圧膨張弁を制御する通常制御を実行しており、
前記高圧膨張弁と前記低圧膨張弁の間の冷媒が気液混合状態であると判断した場合に、前記中圧上昇制御を実行することを特徴とする請求項１乃至請求項４のうちの何れかに記載の冷凍装置。
【請求項６】
前記制御装置は、外気温度とそのときの前記最適な高圧側圧力との関係を示す情報を予め保有しており、前記外気温度に基づいて前記高圧側圧力の目標値を算出することを特徴とする請求項５に記載の冷凍装置。
【請求項７】
前記制御装置は、前記中圧上昇制御においては前記高圧膨張弁の弁開度を拡張し、前記低圧膨張弁の弁開度を縮小させることで、前記高圧膨張弁と前記低圧膨張弁の間の冷媒の圧力を上昇させることを特徴とする請求項５又は請求項６に記載の冷凍装置。
【請求項８】
前記制御装置は、前記中圧上昇制御で前記高圧膨張弁の弁開度を拡張し、前記低圧膨張弁の弁開度を縮小させた後、前記通常制御に復帰することを特徴とする請求項７に記載の冷凍装置。
【請求項９】
前記制御装置は、前記圧縮機を起動した後、所定時間経過したことを条件として前記中圧上昇制御を実行することを特徴とする請求項１乃至請求項８のうちの何れかに記載の冷凍装置。
【発明の詳細な説明】
【技術分野】
【０００１】
本発明は、冷媒回路に冷媒として二酸化炭素を封入して成る冷凍装置に関するものである。
【背景技術】
【０００２】
従来より、例えばコンビニエンスストアやスーパーマーケット等の店舗には、陳列室内にて商品を冷却しながら陳列販売するショーケースが複数台設置されている。各ショーケースには陳列室内を冷却するための蒸発器が設置され、冷媒回路において並列に接続されており、各蒸発器には店外等に設置された冷凍機ユニットの圧縮機から冷媒が分配供給される構成とされていた。
【０００３】
また、近年の地球環境問題からこの種のショーケースにおいても二酸化炭素が冷媒として使用されるようになってきているが、この二酸化炭素を圧縮するためには比較的大型の圧縮機が必要となる。そこで、それぞれ独立した冷媒閉回路を構成する高元側冷媒回路（高段側冷媒回路）と低元側冷媒回路（低段側冷媒回路）とをカスケード接続し、高元側冷媒回路の冷媒を蒸発させて低元側冷媒回路の高圧側冷媒を過冷却することにより、低元側冷媒回路の蒸発器で所要の冷凍能力を得る冷凍装置が開発されている（例えば、特許文献１参照）。
【０００４】
係る冷凍装置では各ショーケースの低元側蒸発器（低段側蒸発器）の冷媒過熱度が所定の目標値となるように低圧膨張弁（低段側膨張弁）を制御し、更に、低元側冷媒回路（低段側冷媒回路）の高圧側圧力を調整するための高圧膨張弁（圧力調整用膨張弁）を設け、低元側冷媒回路の高圧側圧力が最適な値となるように高圧膨張弁を制御することで、効率の改善を図っていた。
【先行技術文献】
【特許文献】
【０００５】
【特許文献１】特開２０１５−１７８９１９号公報
【発明の概要】
【発明が解決しようとする課題】
【０００６】
ここで、夏季等には外気温度が高くなるため、低元側冷媒回路（低段側冷媒回路）の高圧膨張弁（圧力調整用膨張弁）と低圧膨張弁（低段側膨張弁）の間の圧力（中圧）は８Ｍｐａ〜９Ｍｐａとなり、冷媒（二酸化炭素）は超臨界となる。そのため、高圧膨張弁（圧力調整用膨張弁）を経た冷媒は液状態であり、分流点における冷媒の分流に偏りは少なく、各ショーケースの低元蒸発器（低段側蒸発器）の冷却性能のバラツキは小さい。
【０００７】
しかしながら、冬季等に外気温度が低くなり、高元側冷媒回路（高段側冷媒回路）を停止して低元側冷媒回路（低段側冷媒回路）のみの運転に切り換えても能力が十分となる場合、高圧側圧力も６．５Ｍｐａ前後と低くなるため、中圧（高圧膨張弁と低圧膨張弁の間の圧力）は４Ｍｐａ程度に下がる。この状態では中圧の冷媒は気液混合状態となる。
【０００８】
この様子を、図２のｐ−ｈ線図を用いて説明する。図２は上記の如く冬季に低元側冷媒回路のみの運転となったときの当該低元側冷媒回路のｐ−ｈ線図を示している。この図、ａは低元圧縮機（低段側圧縮機）から吐出された冷媒、ｂはガスクーラで放熱した冷媒、ｃは高圧膨張弁（圧力調整用膨張弁）と低圧膨張弁（低段側膨張弁）を経た冷媒、ｄは低元圧縮機（低段側圧縮機）に吸い込まれた冷媒の状態を示しており、Ｌ１は飽和液線を示している。
【０００９】
また、図中でｂとｃの間は前述した高圧膨張弁（圧力調整用膨張弁）と低圧膨張弁（低段側膨張弁）の間の圧力（中圧）の冷媒を示しているが、この中圧の冷媒が図２にｅで示す如く飽和液線Ｌ１より下に来ると、冷媒は気液混合状態となる。冷媒が気液混合状態となると、分流点で偏流（分配供給に偏り）が発生し易くなり、その結果、各ショーケースの低元蒸発器（低段側蒸発器）の冷却性能にバラツキが生じる問題があった。
【００１０】
本発明は、係る従来の技術的課題を解決するために成されたものであり、複数の蒸発器に二酸化炭素冷媒を分流する冷凍装置において、各蒸発器への冷媒の分流（分配供給）に偏りが発生することを回避若しくは抑制することを目的とする。
【課題を解決するための手段】
【００１１】
上記課題を解決するために請求項１の発明の冷凍装置は、圧縮機と、ガスクーラと、高圧膨張弁と、並列接続された複数の蒸発器と、各蒸発器の冷媒入口側にそれぞれ接続された低圧膨張弁から構成された冷媒回路を備え、二酸化炭素を冷媒として封入し、高圧膨張弁を経た冷媒を各低圧膨張弁に分流して成るものであって、冷媒回路の運転を制御する制御装置を備え、この制御装置は、高圧膨張弁と低圧膨張弁の間の冷媒の状態を監視し、気液混合状態であると判断した場合、高圧膨張弁と低圧膨張弁の間の冷媒の圧力を上昇させる中圧上昇制御を実行することを特徴とする。
【００１２】
請求項２の発明の冷凍装置は、高元側冷媒回路と、低元側冷媒回路と、高元側冷媒回路の冷媒を蒸発させて低元側冷媒回路の高圧側冷媒を冷却するカスケード熱交換器とを備え、少なくとも低元側冷媒回路には二酸化炭素を冷媒として封入して成るものであって、低元側冷媒回路は、圧縮機と、ガスクーラと、高圧膨張弁と、並列接続された複数の蒸発器と、各蒸発器の冷媒入口側にそれぞれ接続された低圧膨張弁を有し、高圧膨張弁を経た冷媒を各低圧膨張弁に分流すると共に、高元側冷媒回路及び低元側冷媒回路の運転を制御する制御装置を備え、この制御装置は、高圧膨張弁と低圧膨張弁の間の冷媒の状態を監視し、気液混合状態であると判断した場合、高圧膨張弁と低圧膨張弁の間の冷媒の圧力を上昇させる中圧上昇制御を実行することを特徴とする。
【００１３】
請求項３の発明の冷凍装置は、上記発明において制御装置は、高元側冷媒回路及び低元側冷媒回路の双方を運転する二元冷凍運転と、低元側冷媒回路のみを運転する単元冷凍運転とを有し、外気温度が所定値より低い場合に単元冷凍運転を実行すると共に、当該単元冷凍運転において中圧上昇制御を実行することを特徴とする。
【００１４】
請求項４の発明の冷凍装置は、上記各発明において高圧膨張弁と低圧膨張弁の間の冷媒の圧力及び温度を検出する中圧圧力センサ及び中圧温度センサを備え、制御装置は、中圧圧力センサと中圧温度センサの出力に基づいて、高圧膨張弁と低圧膨張弁の間の冷媒の状態を監視することを特徴とする。
【００１５】
請求項５の発明の冷凍装置は、上記各発明において制御装置は、常には圧縮機と高圧膨張弁の間の高圧側圧力に基づき、最適な当該高圧側圧力を目標値として高圧膨張弁を制御し、各蒸発器の出口側の冷媒過熱度に基づき、各低圧膨張弁を制御する通常制御を実行しており、高圧膨張弁と低圧膨張弁の間の冷媒が気液混合状態であると判断した場合に、中圧上昇制御を実行することを特徴とする。
【００１６】
請求項６の発明の冷凍装置は、上記発明において制御装置は、外気温度とそのときの最適な高圧側圧力との関係を示す情報を予め保有しており、外気温度に基づいて高圧側圧力の目標値を算出することを特徴とする。
【００１７】
請求項７の発明の冷凍装置は、請求項５又は請求項６の発明において制御装置は、中圧上昇制御においては高圧膨張弁の弁開度を拡張し、低圧膨張弁の弁開度を縮小させることで、高圧膨張弁と低圧膨張弁の間の冷媒の圧力を上昇させることを特徴とする。
【００１８】
請求項８の発明の冷凍装置は、上記発明において制御装置は、中圧上昇制御で高圧膨張弁の弁開度を拡張し、低圧膨張弁の弁開度を縮小させた後、通常制御に復帰することを特徴とする。
【００１９】
請求項９の発明の冷凍装置は、上記各発明において制御装置は、圧縮機を起動した後、所定時間経過したことを条件として中圧上昇制御を実行することを特徴とする。
【発明の効果】
【００２０】
請求項１又は請求項２の発明によれば、並列接続された複数の蒸発器の冷媒入口側にそれぞれ接続された低圧膨張弁に、高圧膨張弁を経た二酸化炭素冷媒を分流して供給する冷凍装置において、制御装置が、高圧膨張弁と低圧膨張弁の間の冷媒の状態を監視し、気液混合状態であると判断した場合、高圧膨張弁と低圧膨張弁の間の冷媒の圧力を上昇させる中圧上昇制御を実行するようにしたので、高圧膨張弁と低圧膨張弁の間の中圧の冷媒が気液混合状態となった場合、高圧膨張弁と低圧膨張弁の間の圧力を上昇させて液状態とし、各低圧膨張弁に分流することができるようになる。
【００２１】
これにより、各蒸発器に分流する冷媒に偏りが発生して冷却性能にバラツキが発生する不都合を回避若しくは抑制することができるようになり、各蒸発器にて安定した冷却性能を発揮することができるようになる。
【００２２】
このとき、請求項２の発明の如く高元側冷媒回路と低元側冷媒回路をカスケード接続して成る冷凍装置の場合には、請求項３の発明の如く低元側冷媒回路のみによる単元冷凍運転を実行するときに中圧上昇制御を実行することで、効果的に低元側冷媒回路の各蒸発器における冷却性能のバラツキを解消することができるようになる。
【００２３】
また、請求項４の発明の如く高圧膨張弁と低圧膨張弁の間の冷媒の圧力及び温度を検出する中圧圧力センサ及び中圧温度センサを設け、制御装置が、中圧圧力センサと中圧温度センサの出力に基づいて、高圧膨張弁と低圧膨張弁の間の冷媒の状態を監視するようにすれば、高圧膨張弁と低圧膨張弁の間の冷媒が気液混合状態となったことを的確に判断して、効果的に中圧上昇制御を実施し、確実に液状態とすることができるようになる。
【００２４】
また、請求項５の発明の如く制御装置が、常には圧縮機と高圧膨張弁の間の高圧側圧力に基づき、最適な当該高圧側圧力を目標値として高圧膨張弁を制御し、各蒸発器の出口側の冷媒過熱度に基づき、各低圧膨張弁を制御する通常制御を実行するようにすれば、高圧側冷媒の比エンタルピ差を確保し、冷却能力の向上と効率の改善を図ることができるようになるが、その場合には、高圧膨張弁と低圧膨張弁の間の冷媒が気液混合状態であると判断した場合に、中圧上昇制御を実行する。
【００２５】
このとき、請求項６の発明の如く制御装置に、外気温度とそのときの最適な高圧側圧力との関係を示す情報を予め保有させておき、外気温度に基づいて高圧側圧力の目標値を算出するようにすれば、通常制御において高圧膨張弁により、円滑に高圧側圧力を最適な値に制御することが可能となる。
【００２６】
また、請求項７の発明の如く制御装置が、中圧上昇制御においては高圧膨張弁の弁開度を拡張し、低圧膨張弁の弁開度を縮小させることで、高圧膨張弁と低圧膨張弁の間の冷媒の圧力を上昇させるようにすれば、高圧膨張弁により高圧側圧力を最適な目標値に制御し、低圧膨張弁により各蒸発器の出口側の冷媒過熱度を適正に制御しながら、高圧膨張弁と低圧膨張弁の間の冷媒の圧力を上昇させ、各蒸発器における冷却性能のバラツキを解消することが可能となる。
【００２７】
この場合、請求項８の発明の如く制御装置が、中圧上昇制御で高圧膨張弁の弁開度を拡張し、低圧膨張弁の弁開度を縮小させた後、通常制御に復帰するようにすれば、中圧上昇制御で各蒸発器に分流する冷媒の偏りを解消した後、速やかに通常制御に戻って以後安定した運転を継続することができるようになる。
【００２８】
更に、請求項９の発明の如く制御装置が、圧縮機を起動した後、所定時間経過したことを条件として中圧上昇制御を実行するようにすれば、起動直後の不安定な状態で気液混合状態と判断してしまい、不必要な中圧上昇制御を実行してしまう不都合を回避することができるようになる。
【図面の簡単な説明】
【００２９】
【図１】本発明を適用した一実施例の冷凍装置の冷媒回路図である。
【図２】図１の冷凍装置の低元側冷媒回路のｐ−ｈ線図である。
【図３】図１の冷凍装置の制御装置による低元側冷媒回路の高圧側圧力の目標値の算出動作を説明するための図である。
【発明を実施するための形態】
【００３０】
以下、本発明の実施の形態について、詳細に説明する。図１は本発明を適用した一実施例の冷凍装置１の冷媒回路図である。実施例の冷凍装置１は、コンビニエンスストアやスーパーマーケット等の店舗に設置された複数台のショーケース２に、店外に設置された冷凍機ユニット３から冷媒を供給するものであり、一台の高元側冷媒回路４と、複数（実施例では二系統）の低元側冷媒回路６Ａ、６Ｂとがカスケード接続された二元冷凍装置である。
【００３１】
実施例の高元側冷媒回路４は、例えばスクロール圧縮機から成る高元圧縮機７と、この高元圧縮機７の吐出配管８に接続された高元ガスクーラ１１と、この高元ガスクーラ１１の出口配管１２に接続された高元膨張弁１３と、この高元膨張弁１３の出口配管１４に接続された第１の高元蒸発器１６Ａと、この第１の高元蒸発器１６Ａの出口配管１７Ａに接続された第２の高元蒸発器１６Ｂとを備えており、この第２の高元蒸発器１６Ｂの出口配管１７Ｂが高元圧縮機７の吸込配管１８に接続されて冷凍サイクルが構成されている。この高元側冷媒回路４には、二酸化炭素が冷媒として所定量封入されている。
【００３２】
一方、低元側冷媒回路６Ａ、６Ｂは何れも同一の構成である。即ち、実施例の低元側冷媒回路６Ａ（低元側冷媒回路６Ｂも同様）は、これもスクロール圧縮機から成る圧縮機としての低元圧縮機２１と、この低元圧縮機２１の吐出配管２２に接続されたガスクーラとしての低元ガスクーラ２３と、低元ガスクーラ２３の出口配管２７に接続された過冷却用熱交換器２８と、この過冷却用熱交換器２８の出口配管２９に接続された高圧膨張弁３１と、この高圧膨張弁３１の出口配管３２から分流点Ｐ１、Ｐ２において分岐した分岐配管３３Ａ、３３Ｂにそれぞれ接続された低圧膨張弁３４、３４と、各低圧膨張弁３４、３４の出口に入口配管３５がそれぞれ接続された蒸発器としての低元蒸発器３６、３６とを備えている。
【００３３】
即ち、低圧膨張弁３４は低元蒸発器３６の冷媒入口側に接続されており、出口配管３２に対してこれら低圧膨張弁３４と低元蒸発器３６の直列回路が、複数並列に接続されたかたちとなる。そして、これら低圧膨張弁３４及び低元蒸発器３６が各ショーケース２内にそれぞれ設置されるものである。尚、図１ではショーケース２を二台のみ示すが、実際には更に多数のショーケース２が設けられ、低圧膨張弁３４や低元蒸発器３６も更に多数存在し、出口配管３２から分岐点において分岐する分岐配管もそれぞれに対して存在しているものとするものとする。
【００３４】
そして、各ショーケース２内の低元蒸発器３６の出口配管４０にはそれぞれ電磁弁３７が接続され、各電磁弁３７の出口配管３８が入口配管４２にて合流し、この入口配管４２がアキュムレータ３９に接続され、このアキュムレータ３９の出口側が低元圧縮機２１の吸込配管４１に接続されて冷凍サイクルが構成されている。アキュムレータ３９は所定容量を有するタンクである。尚、分岐配管３３Ａ（分岐配管３３Ｂも同様）は低元蒸発器３６の出口配管４０と熱交換関係とされ、両者で内部熱交換器４５が構成されている。また、各低元側冷媒回路６Ａ、６Ｂにも、二酸化炭素が冷媒として所定量封入されている。
【００３５】
そして、高元側冷媒回路４の第１の高元蒸発器１６Ａと低元側冷媒回路６Ａの過冷却用熱交換器２８とが熱交換関係に設けられて第１のカスケード熱交換器４３Ａが構成され、高元側冷媒回路４の第２の高元蒸発器１６Ｂと低元側冷媒回路６Ｂの過冷却用熱交換器２８とが熱交換関係に設けられて第２のカスケード熱交換器４３Ｂが構成されている。また、出口配管３２と出口配管３８が冷凍機ユニット３から各ショーケース２に渡る配管となる。
【００３６】
図中、４４は各低元側冷媒回路６Ａ、６Ｂの低元圧縮機２１の吐出配管２２に取り付けられた高圧圧力センサであり、低元圧縮機２１から吐出された高圧側冷媒の圧力を検出する。また、４６は高元圧縮機７の吐出配管８に取り付けられた圧力センサであり、高元側冷媒回路４の高圧側圧力を検出する。４７は第２の高元蒸発器１６Ｂの出口配管１７Ｂに取り付けられた温度センサであり、第２の高元蒸発器１６Ｂを出た冷媒の温度を検出する。
【００３７】
更に、５４、５６は各低元側冷媒回路６Ａ、６Ｂの高圧膨張弁３１の出口配管３２に取り付けられた中圧圧力センサ、中圧温度センサである。中圧圧力センサ５４は高圧膨張弁３１と低圧膨張弁３４の間の冷媒の圧力である中圧、実施例では高圧膨張弁３１と分流点Ｐ１の間の冷媒の圧力（中圧）を検出する。また、中圧温度センサ５６は高圧膨張弁３１と低圧膨張弁３４の間の冷媒の温度、実施例では同じく高圧膨張弁３１と分流点Ｐ１の間の冷媒の温度を検出する。
【００３８】
更にまた、５７及び５８は各ショーケース２の低元蒸発器３６の入口配管３５と出口配管４０にそれぞれ取り付けられた入口温度センサ及び出口温度センサである。各温度センサ５７、５８の温度差から低元蒸発器３６の出口側の冷媒過熱度Ｓｈを把握することができるものである。
【００３９】
図中５１、５２は第１及び第２のガスクーラ用送風機であり、第１のガスクーラ用送風機５１は高元ガスクーラ１１に通風して空冷し、第２のガスクーラ用送風機５２は低元ガスクーラ２３に通風して空冷する。また、図中５３は外気温度を検出する外気温度センサである。
【００４０】
更に、図中４８は冷凍装置１の制御装置である。尚、制御装置４８は実際には冷凍機ユニット３側の制御装置と、ショーケース２側の制御装置と、店舗に設けられた統合制御装置から構成され、それら相互にデータの送受信を行い、連携して冷凍装置１の運転を制御するものであるが、ここではそれらを制御装置４８として纏めて表す。
【００４１】
制御装置４８は、各センサ４４、４６、４７、５３、５４、５６等の出力に基づいて高元側冷媒回路４の高元圧縮機７の運転周波数、高元膨張弁１３の弁開度、低元側冷媒回路６Ａ、６Ｂの低元圧縮機２１の運転周波数、高圧膨張弁３１の弁開度、各ガスクーラ用送風機５１、５２の運転を制御する。
【００４２】
また、各ショーケース２の入口温度センサ５７と出口温度センサ５８が検出する低元蒸発器５６の入口側と出口側の冷媒の温度差から低元蒸発器３６の出口側の冷媒過熱度Ｓｈを把握し、低圧膨張弁３４の弁開度を制御する。更に、ショーケース２の陳列室内の温度やそこに吹き出される冷媒の温度等に基づいて電磁弁３７を制御する。
【００４３】
以上の構成で、次に実施例の冷凍装置１の動作を説明する。実施例の制御装置４８は冷凍装置１の通常制御と中圧上昇制御を有しており、更に、通常制御において二元冷凍運転と単元冷凍運転の二つの運転モードを有している。また、中圧上昇制御はこの単元冷凍運転において実行される。
【００４４】
（１）二元冷凍運転（通常制御）
先ず、制御装置４８により通常制御における二元冷凍運転について説明する。例えば夏季等に外気温度センサ５３が検出する外気温度が所定値ＡＴ１（例えば、２０℃等）以上である場合、制御装置４８は高元側冷媒回路４と低元側冷媒回路６Ａ、６Ｂの双方を運転する二元冷凍運転を実行する。
【００４５】
この二元冷凍運転において、制御装置４８により高元側冷媒回路４の高元圧縮機７、低元側冷媒回路６Ａ、６Ｂの低元圧縮機２１、各ガスクーラ用送風機５１、５２が運転されると、高元圧縮機７で圧縮された高温高圧の冷媒（二酸化炭素）が吐出配管８に吐出され、高元ガスクーラ１１に流入する。高元ガスクーラ１１に流入した冷媒は、ガスクーラ用送風機５１により超臨界状態で冷却され、温度が低下する。
【００４６】
高元ガスクーラ１１で冷却された冷媒は、出口配管１２を経て高元膨張弁１３に流入し、そこで絞られた後（減圧）、出口配管１４から第１のカスケード熱交換器４３Ａを構成する第１の高元蒸発器１６Ａに流入して蒸発し、第１の低元側冷媒回路６Ａの過冷却用熱交換器２８を流れる冷媒を冷却する（過冷却）。また、第１の高元蒸発器１６Ａを出た冷媒は出口配管１７Ａを経て第２のカスケード熱交換器４３Ｂを構成する第２の高元蒸発器１６Ｂに流入して蒸発し、第２の低元側冷媒回路６Ｂの過冷却用熱交換器２８を流れる冷媒を冷却する（過冷却）。そして、この第２の高元蒸発器１６Ｂを出た冷媒は、出口配管１７Ｂを経て吸込配管１８から高元圧縮機７に吸い込まれる循環を繰り返す。
【００４７】
一方、第１の低元側冷媒回路６Ａ（第２の低元側冷媒回路６Ｂも同様）の低元圧縮機２１で圧縮された高温高圧の冷媒（二酸化炭素）は吐出配管２２に吐出され、低元ガスクーラ２３に流入する。この低元ガスクーラ２３に流入した冷媒は、ガスクーラ用送風機５２により超臨界状態で冷却され、温度が低下した後、出口配管２７を経て第１のカスケード熱交換器４３Ａ（第２の低元側冷媒回路６Ｂの場合は第２のカスケード熱交換器４３Ｂ）を構成する過冷却用熱交換器２８に流入する。
【００４８】
この過冷却用熱交換器２８に流入した冷媒は、第１の高元蒸発器１６Ａ（第２の低元側冷媒回路６Ｂの場合は第２の高元蒸発器１６Ｂ）内で蒸発する高元側冷媒回路４の冷媒により冷却（過冷却）されて更に温度が低下した後、出口配管２９を経て高圧膨張弁３１に至る。
【００４９】
この高圧膨張弁３１で低元側冷媒回路６Ａ（６Ｂ）の高圧側冷媒は絞られ、出口配管３２経て冷凍機ユニット３から出る。出口配管３２を流れる冷媒は分流点Ｐ１、Ｐ２において各分岐配管３３Ａ、３３Ｂに分流され、各ショーケース２に入る。分岐配管３３Ａ、３３Ｂに分流された冷媒は内部熱交換器４５を経て各ショーケース２の低圧膨張弁３４に流入し、そこで絞られた後、入口配管３５から低元蒸発器３６に流入して蒸発する。このときの吸熱作用で各ショーケース２の陳列室内は所定の温度に冷却される。
【００５０】
そして、これらショーケース２の低元蒸発器３６を出た冷媒は出口配管４０が構成する内部熱交換器４５を通り、電磁弁３７（ショーケース２を冷却する場合、電磁弁３７は開放されているものとする）、出口配管３８を経て合流し、入口配管４２からアキュムレータ３９に流入する。アキュムレータ３９に流入した冷媒はそこで気液分離され、ガス冷媒が吸込配管４１を経て低元圧縮機２１に吸い込まれる循環を繰り返す。
【００５１】
制御装置４８は、温度センサ４７が検出する第２の高元蒸発器１７Ｂを出た冷媒の温度に基づいて高元圧縮機７の運転周波数を制御する。このとき、制御装置４８は各カスケード熱交換器４３Ａ、４３Ｂにおいて低元側冷媒回路６Ａ、６Ｂの高圧側冷媒の所要の過冷却がとれるように高元圧縮機７の運転周波数を制御する。
【００５２】
また、制御装置４８は、圧力センサ４６が検出する高元側冷媒回路４の高圧側圧力に基づいて高元膨張弁１３の弁開度を後述する低元側冷媒回路６Ａ、６Ｂの高圧膨張弁３１と同様に制御することにより、高元側冷媒回路４の高圧側圧力を後述するのと同様の適正な値（高元側冷媒回路４の高圧側圧力の目標値）に制御する。また、通常制御では、制御装置４８は入口温度センサ５７と出口温度センサ５８が検出する低元蒸発器３６の入口側の冷媒と出口側の冷媒の温度差から低元蒸発器３６の出口側の冷媒過熱度Ｓｈを把握し、所定の目標値Ｓｈｓ（目標とする冷媒過熱度：入口側と出口側の冷媒の温度差にして例えば５〜１０ｄｅｇ）となるように低圧膨張弁３４の弁開度を制御する。
【００５３】
このように、各カスケード熱交換器４３Ａ、４３Ｂの高元蒸発器１６Ａ、１６Ｂにおいて高元側冷媒回路４の冷媒を蒸発させ、過冷却用熱交換器２８を流れる各低元側冷媒回路６Ａ、６Ｂの高圧側冷媒を過冷却することにより、二酸化炭素を冷媒として使用する場合に、夏季等の外気温度が高い環境においても、各冷媒回路４、６Ａ、６Ｂの圧縮機７、２１として比較的大型（大能力）の圧縮機を使用すること無く、各ショーケース２の低元蒸発器３６において所要の冷却能力を得ることが可能となる。
【００５４】
また、カスケード熱交換器４３Ａ、４３Ｂは、低元ガスクーラ２３、２３を出た冷媒を過冷却するので、低元ガスクーラ２３、２３で冷却された低元側冷媒回路６Ａ、６Ｂの二酸化炭素冷媒をカスケード熱交換器４３Ａ、４３Ｂにて更に過冷却することになり、更なる冷却能力を改善を図ることができるようになる。
【００５５】
次に、図３を参照しながら、制御装置４８による各低元側冷媒回路６Ａ、６Ｂの高圧膨張弁３１の弁開度による高圧側圧力の最適値制御について説明する。通常制御では、制御装置４８は外気温度センサ５３が検出する外気温度に基づいて低元側冷媒回路６Ａ、６Ｂの最適な高圧側圧力を算出し、それを目標値として各高圧膨張弁３１の弁開度を制御する。
【００５６】
この場合、制御装置４８は外気温度とそのときの低元側冷媒回路６Ａ（６Ｂ）の最適な高圧側圧力との関係を示す情報を予め保有している。ここで、本発明において高圧側圧力の最適値とは、効率ＣＯＰが最大、若しくは、それに近い値となる低元側冷媒回路６Ａ（６Ｂ）の高圧側圧力を意味する。図３中の近似式（ｙ＝０．１３４７ｘ＋５．４１３２）はこの低元側冷媒回路６Ａ（６Ｂ）の最適な高圧側圧力と外気温度との関係を示す情報である。図３の横軸（ｘ）は外気温度、縦軸（ｙ）は当該冷凍装置１の低元側冷媒回路６Ａ（６Ｂ）の高圧側圧力（低元圧縮機２１から吐出された高圧側冷媒の圧力）の最適値であり、この近似式は予め実験により求めておく。
【００５７】
制御装置４８はこの近似式を用い、外気温度からそのときの最適な高圧側圧力（高圧側圧力の最適値）を算出して、当該算出した高圧側圧力を目標値として設定する。例えば、外気温度＋２０℃のときの目標値（最適な高圧側圧力）は８．１ＭＰａ程となり、＋３０℃のときの目標値は９．５ＭＰａ程となる。
【００５８】
制御装置４８は冷凍装置１の起動から所定時間（例えば、１０分）待機した後、圧力センサ４４が検出する現在の高圧側圧力を検知し、高圧側圧力の目標値（最適な高圧側圧力）と現在の高圧側圧力（現在値）との差（目標値−現在値）の絶対値（ａｂｓ）が所定値（例えば０．１ＭＰａ）以下か否か判断し、差が所定値以下である（差が無いか、小さい）場合には、高圧膨張弁３１の弁開度を変更しない（高圧膨張弁３１の弁開度は維持される）。
【００５９】
一方、高圧側圧力（現在値）が低く、高圧側圧力の目標値と現在の高圧側圧力（現在値）との差（目標値−現在値）の絶対値が所定値より大きい場合、制御装置４８は高圧膨張弁３１の弁開度を所定パルス（ＸＸｐｌｓ）縮小する。これにより、低元側冷媒回路６Ａ（６Ｂ）の高圧側冷媒は、カスケード熱交換器４３Ａ（４３Ｂ）の過冷却用熱交換器２８を出たところでより堰き止められるかたちとなるので、低元側冷媒回路６Ａ（６Ｂ）の高圧側圧力は上昇する。
【００６０】
一方、現在の低元側冷媒回路６Ａ（６Ｂ）の高圧側圧力（現在値）が高く、差（目標値−現在値）が所定値（０．１ＭＰａ）以下である場合、制御装置４８は高圧膨張弁３１の弁開度を所定パルス（ＸＸｐｌｓ）拡張する。これにより、カスケード熱交換器４３Ａ（４３Ｂ）の過冷却用熱交換器２８を出た低元側冷媒回路６Ａ（６Ｂ）の高圧側冷媒は、より流れ易くなるので、低元側冷媒回路６Ａ（６Ｂ）の高圧側圧力は低下する。
【００６１】
以上を繰り返して制御装置４８は高圧膨張弁３１により低元側冷媒回路６Ａ（６Ｂ）の高圧側圧力を最適な値に制御する。即ち、低元側冷媒回路６Ａ、６Ｂに高圧膨張弁３１を設け、制御装置４８により低元側冷媒回路６Ａ、６Ｂの高圧側圧力に基づき、最適な当該高圧側圧力を目標値として高圧膨張弁３１を制御するようにしたので、低元側冷媒回路６Ａ、６Ｂの高圧側冷媒の比エンタルピ差を確保し、冷却能力の向上と効率の改善を図ることができるようになる。
【００６２】
特に、制御装置４８に外気温度とそのときの最適な高圧側圧力との関係を示す情報（近似式）を予め保有させておき、外気温度に基づいて高圧側圧力の目標値を算出するようにしたので、高圧膨張弁３１により円滑に低元側冷媒回路６Ａ、６Ｂの高圧側圧力を最適な値に制御することが可能となる。
【００６３】
（２）単元冷凍運転（通常制御）
一方、例えば冬季等に外気温度センサ５３が検出する外気温度が前述した所定値ＡＴ１より低い場合、制御装置４８は高元側冷媒回路４の運転を停止し、低元側冷媒回路６Ａ、６Ｂのみを運転する単元冷凍運転に切り換える。この単元冷凍運転における低元側冷媒回路６Ａ、６Ｂの通常運転は前述した二元冷凍運転の場合の通常運転と同様であるが、高元側冷媒回路４の運転は停止しているので、各カスケード熱交換器４３Ａ、４３Ｂの過冷却用熱交換器２８における低元側冷媒回路６Ａ、６Ｂの過冷却は行われない。
【００６４】
冬季等には各ショーケース２における負荷も低下するため、低元側冷媒回路６Ａ、６Ｂのみの運転で冷却性能は十分となるからである。
【００６５】
（３）単元冷凍運転における中圧上昇制御
前述した如く、二元冷凍運転が行われる夏季等には、外気温度が高くなるために低元側冷媒回路６Ａ、６Ｂの高圧膨張弁３１と低圧膨張弁３４の間の圧力（中圧）は８Ｍｐａ〜９Ｍｐａとなり、冷媒（二酸化炭素）は超臨界となる。そのため、高圧膨張弁３１を経た冷媒は液状態であり、出口配管３２の各分流点Ｐ１、Ｐ２における冷媒の分流に偏りは少なく、各ショーケース２の低圧膨張弁３４には略均等に冷媒が分配供給されるので、低元蒸発器３６の冷却性能のバラツキも小さくなる。
【００６６】
一方、冬季等に外気温度が低くなり、冷凍装置１が単元冷凍運転に切り換わると、低元側冷媒回路６Ａ、６Ｂの高圧側圧力も６．５Ｍｐａ前後と低くなるため、高圧膨張弁３１と低圧膨張弁３４の間の圧力（中圧）は４Ｍｐａ程度に低下してくる。この状態では図２の中圧の冷媒はｅで示す如く飽和液線Ｌ１より下に来るようになり、冷媒は気液混合状態となる。冷媒が気液混合状態となると、分流点Ｐ１、Ｐ２で偏流（分配供給に偏り）が発生し易くなり、その結果、各ショーケース２の低元蒸発器３６の冷却性能にバラツキが生じてくる。
【００６７】
そこで、制御装置４８はこの単元冷凍運転においては、中圧圧力センサ５４と中圧温度センサ５６の出力に基づき、それらが検出する高圧膨張弁３１と分流点Ｐ１の間の冷媒の圧力と温度を常に監視しており、高圧膨張弁３１と分流点Ｐ１の間の冷媒の状態が図２中でｅに示す如く飽和液線Ｌ１より下となった場合、気液混合状態であると判断し、高圧膨張弁３１と低圧膨張弁３４の間の冷媒の圧力を上昇させる中圧上昇制御を実行する。但し、制御装置４８は低元圧縮機２１の起動から所定時間（例えば１５分等）が経過していることを条件として中圧上昇制御を実行し、経過していない場合には中圧上昇制御の実行を禁止する。
【００６８】
この中圧上昇制御で制御装置４８は、前述した通常制御における高圧膨張弁３１の弁開度を拡張する方向に補正し、且つ、低圧膨張弁３４の弁開度は縮小する方向に補正する。即ち、制御装置４８は通常制御において制御されている高圧膨張弁３１の弁開度に、所定パルス（Ｘ１ｈｏｓｐｌｓ）加え、低圧膨張弁３４の弁開度には所定パルス（−Ｘ２ｈｏｓｐｌｓ）加える。
【００６９】
これにより、高圧膨張弁３１と低圧膨張弁３４の間の冷媒の圧力（中圧）は上昇するので、図２において冷媒の状態はｅからｆに移動し、飽和液線Ｌ１より上にくる。この状態では冷媒は液状態となるので、分流点Ｐ１、Ｐ２における冷媒の偏流は解消されるようになる。但し、前述した各値Ｘ１ｈｏｓｐｌｓ、及び、−Ｘ２ｈｏｓｐｌｓは、中圧上昇制御を行っても低元側冷媒回路６Ａ、６Ｂの高圧側圧力が前述した最適な目標値となり、低元蒸発器３６の出口側の冷媒過熱度Ｓｈが目標値となる値を予め実験により求めておくものとする。
【００７０】
尚、制御装置４８は係る中圧上昇制御で高圧膨張弁３１の弁開度を拡張し、低圧膨張弁３４の弁開度を縮小させた後は、通常制御に復帰する。冷媒の状態が一旦液状態になれば、その後は少なくとも所定期間、冷媒の偏流は解消されるからである。
【００７１】
このように、本発明では並列接続された複数の低元蒸発器３６の冷媒入口側にそれぞれ接続された低圧膨張弁３４に、高圧膨張弁３１を経た二酸化炭素の冷媒を分流して供給する冷凍装置１において、制御装置４８が、高圧膨張弁３１と低圧膨張弁３４の間の冷媒の状態を監視し、気液混合状態であると判断した場合、高圧膨張弁３１と低圧膨張弁３４の間の冷媒の圧力を上昇させる中圧上昇制御を実行するようにしたので、高圧膨張弁３１と低圧膨張弁３４の間の中圧の冷媒が気液混合状態となった場合、高圧膨張弁３１と低圧膨張弁３４の間の圧力を上昇させて液状態とし、各低圧膨張弁３４に分流することができるようになる。
【００７２】
これにより、各低元蒸発器３６に分流する冷媒に偏りが発生して冷却性能にバラツキが発生する不都合を回避若しくは抑制することができるようになり、各低元蒸発器３６にて安定した冷却性能を発揮することができるようになる。
【００７３】
このとき、実施例の如く冷凍装置１が高元側冷媒回路４と低元側冷媒回路６Ａ、６Ｂをカスケード接続して成る場合には、低元側冷媒回路６Ａ、６Ｂのみによる単元冷凍運転を実行するときに中圧上昇制御を実行することで、効果的に低元側冷媒回路６Ａ、６Ｂの各低元蒸発器３６における冷却性能のバラツキを解消することができるようになる。
【００７４】
また、実施例では高圧膨張弁３１と低圧膨張弁３４の間の冷媒の圧力及び温度を検出する中圧圧力センサ５４及び中圧温度センサ５６を設け、制御装置４８が、中圧圧力センサ５４と中圧温度センサ５６の出力に基づいて、高圧膨張弁３１と低圧膨張弁３４の間の冷媒の状態を監視するようにすれば、高圧膨張弁３１と低圧膨張弁３４の間の冷媒が気液混合状態となったことを的確に判断して、効果的に中圧上昇制御を実施し、確実に液状態とすることができるようになる。
【００７５】
また、実施例の如く制御装置４８が、常には低元圧縮機２１と高圧膨張弁３１の間の高圧側圧力に基づき、最適な当該高圧側圧力を目標値として高圧膨張弁３１を制御し、各低元蒸発器３６の出口側の冷媒過熱度Ｓｈに基づき、各低圧膨張弁３４を制御する通常制御を実行するようにすれば、高圧側冷媒の比エンタルピ差を確保し、冷却能力の向上と効率の改善を図ることができるようになる。そして、高圧膨張弁３１と低圧膨張弁３４の間の冷媒が気液混合状態であると判断した場合に、中圧上昇制御を実行するとよい。
【００７６】
その場合、実施例の如く制御装置４８に、外気温度とそのときの最適な高圧側圧力との関係を示す情報を予め保有させておき、外気温度に基づいて高圧側圧力の目標値を算出するようにすれば、通常制御において高圧膨張弁３１により、円滑に高圧側圧力を最適な値に制御することが可能となる。
【００７７】
また、実施例では制御装置４８が中圧上昇制御においては高圧膨張弁３１の弁開度を拡張し、低圧膨張弁３４の弁開度を縮小させることで、高圧膨張弁３１と低圧膨張弁３４の間の冷媒の圧力を上昇させるようにしているので、高圧膨張弁３１により高圧側圧力を最適な目標値に制御し、低圧膨張弁３４により各低元蒸発器３６の出口側の冷媒過熱度Ｓｈを適正に制御しながら、高圧膨張弁３１と低圧膨張弁３４の間の冷媒の圧力を上昇させ、各低元蒸発器３６における冷却性能のバラツキを解消することが可能となる。
【００７８】
この場合、実施例の如く制御装置４８が、中圧上昇制御で高圧膨張弁３１の弁開度を拡張し、低圧膨張弁３４の弁開度を縮小させた後、通常制御に復帰するようにすれば、中圧上昇制御で各低元蒸発器３６に分流する冷媒の偏りを解消した後、速やかに通常制御に戻って以後安定した運転を継続することができるようになる。
【００７９】
更に、実施例の如く制御装置４８が、低元圧縮機２１を起動した後、所定時間経過したことを条件として中圧上昇制御を実行するようにすれば、起動直後の不安定な状態で気液混合状態と判断してしまい、不必要な中圧上昇制御を実行してしまう不都合を回避することができるようになる。
【００８０】
尚、実施例では二元冷凍装置を採り上げて本発明を説明したが、それに限らず、請求項２、請求項３以外の発明は、実施例の低元側冷媒回路のみの所謂単元の冷凍装置においても有効である。また、実施例では冷凍装置１が単元冷凍運転を実行するときに中圧上昇制御を行うようにしたが、二元冷凍運転を行っているときにも高圧膨張弁３１と低圧膨張弁３４の間の冷媒の状態を監視して、中圧上昇制御を実行してもよい。
【００８１】
更に、実施例では高圧膨張弁３１と分流点Ｐ１の間の冷媒の圧力と温度を検出する中圧圧力センサ５４と中圧温度センサ５６を用いて中圧の冷媒の状態を監視するようにしたが、請求項４以外の発明では例えば高圧圧力センサ４４他のセンサを用いて判断するようにしてもよい。但し、実施例の如き中圧圧力センサ５４と中圧温度センサ５６を用いれば、高圧膨張弁３１と低圧膨張弁３４の間の冷媒の状態を直接把握し、円滑に中圧上昇制御を実行することができるようになる。
【００８２】
更にまた、実施例では中圧上昇制御において、制御装置４８により所定の値Ｘ１ｈｏｓｐｌｓ、及び、−Ｘ２ｈｏｓｐｌｓを高圧膨張弁３１と低圧膨張弁３４の弁開度に加えるようにしたが、それに限らず、中圧の冷媒の状態に応じて、弁開度に加える値をリニアに変更するようにしてもよい。その場合には、例えば飽和液線Ｌ１より下にきている度合が大きい場合には、より上昇させる方向に変更することになる。
【００８３】
ここで、実施例では単一の高元側冷媒回路４と二系統の低元側冷媒回路６Ａ、６Ｂとをカスケード接続した冷凍装置１で本発明を説明したが、それに限らず、単一の低元側冷媒回路と高元側冷媒回路をカスケード接続した冷凍装置でもよい。また、実施例ではショーケースを冷却する冷凍装置１に本発明を適用したが、それに限らず、自動販売機等を冷却する冷凍装置にも本発明は有効である。
【符号の説明】
【００８４】
１  冷凍装置
２  ショーケース
３  冷凍機ユニット
４  高元側冷媒回路
６Ａ、６Ｂ  低元側冷媒回路
７  高元圧縮機
１１  高元ガスクーラ
１３  高元膨張弁
１６Ａ、１６Ｂ  高元蒸発器
２１  低元圧縮機
２３  低元ガスクーラ
２８  過冷却熱交換器
３１  高圧膨張弁
３４  低圧膨張弁
３６  低元蒸発器
４４  高圧圧力センサ
４８  制御装置
５３  外気温度センサ
５４  中圧圧力センサ
５６  中圧温度センサ
５７  入口温度センサ
５８  出口温度センサ
【図１】
2020046157.tif 000003
【図２】
2020046157.tif 000004
【図３】
2020046157.tif 000005